(57)【特許請求の範囲】
【請求項１】
光源からの光を入力映像信号に基づいて変調し、投射方向に映像を投射するミラーと、周囲を撮像するカメラとを備えたプロジェクタ装置において、
前記カメラを取付けるカメラ部を備え、前記カメラ部をプロジェクタ装置の筐体上面から、前記ミラーの投射方向と逆方向の視野角が前記カメラによって撮像可能な位置まで回転させるチルト機構を有し、前記重力センサの検出する前記設置状態に応じて、前記チルト機構の制御方法を上下逆に切替え、前記ミラーと前記カメラ部を一体化し、
前記カメラは、前記ミラーの投射方向と逆方向を視野角として撮像することを特徴とするプロジェクタ装置。
【請求項２】
光源からの光を入力映像信号に基づいて変調し、投射方向に映像を投射するミラーと、周囲を撮像するカメラとを備えたプロジェクタ装置において、
前記カメラが撮像した映像を画像処理する画像処理部と、
プロジェクタ装置を制御するＣＰＵとを備え、
前記ＣＰＵは、前記ミラーが投射する映像の回転角度が０°である場合には、前記カメラの出力映像の回転角を０°で前記画像処理部から出力させ、前記ミラーが投射する映像の回転角度が１８０°である場合には、前記カメラの出力映像の回転角を１８０°で前記画像処理部から出力させるように制御し、
前記カメラを取付けるカメラ部を備え、前記ミラーと前記カメラ部を一体化し、
前記カメラは、前記ミラーの投射方向と逆方向を視野角として撮像することを特徴とするプロジェクタ装置。
【請求項３】
請求項１または請求項２記載のプロジェクタ装置において、
プロジェクタ装置の設置状態を検出する重力センサと、
前記カメラが撮像した映像を画像処理する画像処理部と、
プロジェクタ装置を制御するＣＰＵとを備え、
前記ＣＰＵは、前記重力センサが検出する設置状態に対応して、プロジェクタ装置の設置状態が据置き設置状態である場合には、前記カメラの出力映像の回転角を０°で前記画像処理部から出力させ、プロジェクタ装置の設置状態が天吊り設置状態である場合には、前記カメラの出力映像の回転角を１８０°で前記画像処理部から出力させるように制御することを特徴とするプロジェクタ装置。
【請求項４】
請求項２記載のプロジェクタ装置において、さらに、前記カメラを取付けるカメラ部を備え、前記カメラ部をプロジェクタ装置の筐体上面から、前記ミラーの投射方向と逆方向の視野角が前記カメラによって撮像可能な位置まで回転させるチルト機構を有し、前記重力センサの検出する前記設置状態に応じて、前記チルト機構の制御方法を上下逆に切替えることを特徴とするプロジェクタ装置。
【請求項５】
請求項１記載のプロジェクタ装置において、
前記カメラが撮像した映像を画像処理する画像処理部と、
プロジェクタ装置を制御するＣＰＵとを備え、
前記ＣＰＵは、前記ミラーが投射する映像の回転角度が０°である場合には、前記カメラの出力映像の回転角を０°で前記画像処理部から出力させ、前記ミラーが投射する映像の回転角度が１８０°である場合には、前記カメラの出力映像の回転角を１８０°で前記画像処理部から出力させるように制御することを特徴とするプロジェクタ装置。
【請求項６】
請求項２または請求項５記載のプロジェクタ装置において、さらに、前記カメラを取付けるカメラ部を備え、前記カメラ部をプロジェクタ装置の筐体上面から、前記ミラーの投射方向と逆方向の視野角が前記カメラによって撮像可能な位置まで回転させるチルト機構を有し、前記ミラーの回転角度に応じて、前記チルト機構の制御方法を上下逆に切替えることを特徴とするプロジェクタ装置。
【請求項７】
請求項１乃至請求項６のいずれか１つに記載のプロジェクタ装置において、前記カメラの前記視野角の方向に、リモコンからの赤外線光を受信する受光部を備えたことを特徴とするプロジェクタ装置。
【発明の詳細な説明】
【技術分野】
【０００１】
本発明は、テレビ会議に使用するプロジェクタ装置に係わり、特に会議の参加者を撮像するカメラを備えたプロジェクタ装置に関する。
【背景技術】
【０００２】
従来のテレビ会議システムでは、ネットワーク回線等の通信回線を介して複数の地点間を接続し、各地点に設置された表示装置、カメラ、マイクおよびスピーカによって、遠隔の地点同士の合同会議を開いていた。
特許文献１では、表示装置にプロジェクタ装置を使用し、プロジェクタ装置の投射方向に対して略同一方向を撮像する第１のカメラと、前記投射方向と略直交する方向を撮像する第２のカメラを備え、姿勢検出手段によって前記プロジェクタ装置の設置状態を検出し、検出結果に基づいて、前記第１のカメラおよび前記第２のカメラのいずれかを択一的に選択して撮像する投射型映像表示装置について記載されている。
【先行技術文献】
【特許文献】
【０００３】
【特許文献１】特開２００９−２０６７２６号公報
【発明の概要】
【発明が解決しようとする課題】
【０００４】
特許文献１では、机上若しくは天吊等の設置場所や設置方向等の設置状態に応じて、第１のカメラまたは第２のカメラのいずれか１つを選択して使用していた。特許文献１では、設置状態に対応するために、プロジェクタ装置にカメラを複数設ける必要があり、コストが高くなり、信頼性が悪い問題があった。
本発明の目的は、上記の問題に鑑み、設置状態が異なっても、１つのカメラで対応可能なプロジェクタ装置を提供することにある。
【課題を解決するための手段】
【０００５】
上記の課題を解決するために、本発明のプロジェクタ装置は、光源からの光を入力映像信号に基づいて変調し、投射方向に映像を投射するミラーと、周囲を撮像するカメラとを備えたプロジェクタ装置において、前記カメラは、前記ミラーの投射方向と逆方向を視野角として撮像するものである。
また上記発明のプロジェクタ装置において、プロジェクタ装置の設置状態を検出する重力センサと、前記カメラが撮像した映像を画像処理する画像処理部と、プロジェクタ装置を制御するＣＰＵとを備え、前記ＣＰＵは、前記重力センサが検出する設置状態に対応して、プロジェクタ装置の設置状態が据置き設置状態である場合には、前記カメラの出力映像の回転角を０°で前記画像処理部から出力させ、プロジェクタ装置の設置状態が天吊り設置状態である場合には、前記カメラの出力映像の回転角を１８０°で前記画像処理部から出力させるように制御することを特徴とする。
また、上記発明のプロジェクタ装置において、さらに、前記カメラを取付けるカメラ部を備え、前記カメラ部をプロジェクタ装置の筐体上面から、前記ミラーの投射方向と逆方向の視野角が前記カメラによって撮像可能な位置まで回転させるチルト機構を有し、前記重力センサの検出する前記設置状態に応じて、前記チルト機構の制御方法を上下逆に切替えることを特徴とする。
【０００６】
また、上記発明のプロジェクタ装置において、前記カメラが撮像した映像を画像処理する画像処理部と、プロジェクタ装置を制御するＣＰＵとを備え、前記ＣＰＵは、前記ミラーが投射する映像の回転角度が０°である場合には、前記カメラの出力映像の回転角を０°で前記画像処理部から出力させ、前記ミラーが投射する映像の回転角度が１８０°である場合には、前記カメラの出力映像の回転角を１８０°で前記画像処理部から出力させるように制御するものである。
また、上記発明のプロジェクタ装置において、さらに、前記カメラを取付けるカメラ部を備え、前記カメラ部をプロジェクタ装置の筐体上面から、前記ミラーの投射方向と逆方向の視野角が前記カメラによって撮像可能な位置まで回転させるチルト機構を有し、前記ミラーの回転角度に応じて、前記チルト機構の制御方法を上下逆に切替えることを特徴とする。
また好ましくは、上記発明のプロジェクタ装置において、前記ミラー部と前記カメラ部を一体化したことを特徴とする。
さらに好ましくは、上記発明のプロジェクタ装置において、前記カメラの前記視野角の方向に、リモコンからの赤外線光を受信する受光部を備えたことを特徴とする。
【発明の効果】
【０００７】
本発明によれば、プロジェクタ装置の設置状態を設置後に変更する場合に、カメラの角度（光軸方向）の初期調整が容易となる。即ち、プロジェクタ装置の設置場所や設置条件等の設置状態が異なった場合においても、容易にかつ迅速にプロジェクタ装置のカメラの光軸方向を変更することができる。
【図面の簡単な説明】
【０００８】
【図１】本発明のプロジェクタ装置の一実施例の外観を説明するための斜視図である。
【図２】本発明のプロジェクタ装置の一実施例の構成を示すブロック図である。
【図３】本発明のプロジェクタ装置の設置状態の一実施例を説明するための図である。
【図４】図３のプロジェクタ装置のカメラが撮像した映像の出力事例を示す図である。
【図５】従来のプロジェクタ装置の設置状態の一例を説明するための図である。
【図６】図５のプロジェクタ装置のカメラが撮像した映像の出力事例を示す図である。
【図７】本発明のプロジェクタ装置の設置状態の一実施例を説明するための図である。
【図８】図７のプロジェクタ装置のカメラが撮像した映像の出力事例を示す図である。
【図９】本発明のプロジェクタ装置に用いるリモコンの操作パネル面の一部で、上下左右移動ボタン部９０１の一実施例を示す図である。
【図１０】本発明のプロジェクタ装置の設置状態の一実施例を説明するための図である。
【図１１】図１０のプロジェクタ装置のカメラが撮像した映像の出力事例を示す図である。
【図１２】本発明のプロジェクタ装置の設置状態の一実施例を説明するための図である。
【図１３】図１２のプロジェクタ装置のカメラが撮像した映像の出力事例を示す図である。
【図１４】本発明のプロジェクタ装置の一実施例の構成を示すブロック図である。
【発明を実施するための形態】
【０００９】
以下に本発明の一実施形態を図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
なお、各図の説明において、同一の機能を有する構成要素には同一の参照番号を付し、重複を避けるため、できるだけ説明を省略する。
【００１０】
図１〜図８によって、本発明の一実施形態を説明する。図１は、本発明のプロジェクタ装置の一実施例の外観を説明するための斜視図である。図２は、本発明のプロジェクタ装置の一実施例の構成を示すブロック図である。図３は、本発明のプロジェクタ装置の設置状態の一実施例を説明するための図である。図４は、図３のプロジェクタ装置のカメラが撮像した映像の出力事例を示す図である。図５は、従来のプロジェクタ装置の設置状態の一例を説明するための図である。図６は、図５のプロジェクタ装置のカメラが撮像した映像の出力事例を示す図である。図７は、本発明のプロジェクタ装置の設置状態の一実施例を説明するための図である。図８は、図７のプロジェクタ装置のカメラが撮像した映像の出力事例を示す図である。
【００１１】
図１において、１００はプロジェクタ装置、１０１は筐体、１０２はミラー部、１０３はカメラ部、１０５はリモコンからの赤外光を受光する受光部、１０６と１０７は右側面に取付けられた電源接続用端子、ＰＣ接続用端子、通信回線接続用端子、等の外部機器との接続用端子パネル、１０８は吸気口や排気口が設けられた筐体１０１の後面、１０９はカメラ部１０３に取付けられたカメラ本体、１１０はカメラ部１０３に取付けられたスピーカ、１０４はカメラ本体１０９のフード、１０４’はカメラ部１０３を取付けるためのへこみ部である。なお、マイクは図示しない。
本発明のプロジェクタ装置１００において、以降特に明示しない限り、図１の矢印で記載した方向を上下方向、左右方向、前後方向として説明する。
また、ミラー部１０２は、前方向側に反射面があり、前方向が投射方向である。さらに、カメラ本体１０９は、後方向にレンズ開口部があり、後方向が撮像方向である。
【００１２】
図１において、筐体１０１の内部には、ミラー部１０２を回転するためのチルト機構がある。チルト機構のミラー回転モータは、ＣＰＵ（後述）の制御に応じて回転し、回転伝達機構を介して、ミラー部１０２を左右方向の回転軸１３３を中心として、筐体１０１の上面部間で矢印１２２の方向に回転させる。同様に、筐体１０１の内部には、カメラ部１０３を回転するためのチルト機構がある。チルト機構のカメラ回転モータは、ＣＰＵの制御に応じて回転し、回転伝達機構を介して、カメラ部１０３を左右方向の回転軸１３３を中心として、筐体１０１の上面部間で矢印１２３の方向に回転させる。また、カメラ部１０３に取付けられたカメラ１０９は、カメラ部１０３と別個に回転可能である。
また、ミラー部１０２は、筐体１０１の上面部に開口部を備え、少なくともミラー部１０２の前面の凸部を収納するための空間を有し、筐体１０１の上面部で閉じることができる。同様に、カメラ部１０３も、筐体１０１の上面部に開口部を備え、少なくともカメラ部１０３の前面の凸部構成物を収納するための空間を有し、筐体１０１の上面部で閉じることができる。従って、カメラ部１０３は、ミラー部１０２と同様の収納機構により、カメラを装置本体に収納することが可能である。
【００１３】
なお、ミラー部１０２とカメラ部１０３を一体化して、ミラー回転モータとカメラチルト機構（回転モータと回転伝達機構）を共通化しても良い。
また好ましくは、カメラ本体１０９は、レンズ開口部が、カメラ部１０３外面から内側（後面側から前面側のへこみ部１０４’）に引っ込んだ状態で取り付けられる。この結果、カメラ部１０３がフード（若しくは庇）１０４をかけた状態となり、プロジェクタ装置のレンズ部に横からの光が混入しない。従って、室内等のやや暗い場所で使用されるプロジェクタ装置に使用されるため、より明るい仕様のカメラを使用することができる。
また、リモコンからの赤外光を受光する受光部１０５は、据置き設置状態の場合には、会議参加者が操作するリモコンからの赤外線光が、プロジェクタ装置１００の上面方向に向けて下向きに送信されることが想定される。また、天吊り設置状態の場合には、会議参加者が操作するリモコンからの赤外線光が、プロジェクタ装置１００の上面方向に（天井側に下向きに取付けられているため上面が下向きである）上向きに送信されることが想定される。そこで、筐体１０１の上面でかつ、後面側（カメラの光軸方向側）に設けている。この結果、リモコンからの赤外線を受光し易い。
【００１４】
図２において、２００はプロジェクタ装置、２０１はレンズ部、２０２は映像信号生成部、２０３はレンズ部２０１および映像信号生成部２０２で構成されるカメラ、２０４は画像処理部、２０５は通信回線としてネットワーク回線を介して他のプロジェクタ装置と相互に通信するための伝送インタフェース（伝送Ｉ／Ｆ）部、２０６は映像信号復号部、２０７は表示回路部、２０８は表示パネル、２０９は赤外線受光部、２１０はＣＰＵ（Central Processing Unit）、２１１はキーパッド、２１２は重力センサ、２１３は入力画像処理部、２１４および２１５はＰＣ（Personal Computer）を接続するための入出力端子である。
【００１５】
入力画像処理部２１３には、入出力端子２１３および２１４を介してＰＣが接続され、投射する映像が入力される。またＰＣは、投射する映像を制御する他、プロジェクタ装置２００を操作する。
また、赤外線受光部２０９は、図示しないリモコンからの制御信号を受信して、ＣＰＵ２１０に出力し、ＣＰＵ２１０は、リモコンからの制御を受ける。
なお、リモコンではなく、入力画像処理回路２１３に接続されたＰＣからの制御によって、または、キーパッド２１１からの操作によってＣＰＵ２１０が制御されても良い。
【００１６】
ＣＰＵ２１０は、赤外線受光部２０９、キーボード２１１および入力画像処理部２１３からの制御信号に応答して、内部の図示しないメモリにあらかじめ登録されたプロジェクタ装置のプログラムに従って、プロジェクタ装置２００内の各機器を制御する。また、後述するように、重力センサ２１２のセンサ情報（設置状態）に応じて、画像処理部２０４を制御し、カメラ２０３から出力される映像を回転制御する。
同様に、ＣＰＵ２１０は、後述するように、重力センサ２１２のセンサ情報に応じて、画像処理部２０４を制御し、カメラ２０３から出力される映像を回転制御する。
さらに、図２の構成では図示していないが、レンズ部２０１がズーム機能を備え、手動若しくはＣＰＵ２１０の制御を受けてズーム倍率を変更することも可能である。
【００１７】
まず、本発明のカメラの動作について、図２を参照して説明する。カメラ２０３において、レンズ部２０１を介して、映像信号生成部２０２に視野範囲の被写体像を入射する。映像信号生成部２０２は入射光を電気信号に変換し、所定の映像補正後、映像信号として画像処理部２０４に出力する。
【００１８】
次に、画像処理部２０４は、入力画像処理回路２１３およびＣＰＵ２１０に制御されて、入力された映像信号に、符号化や映像回転処理を含む画像処理を実行して、伝送Ｉ／Ｆ２０５および表示回路部２０７に出力する。
伝送Ｉ／Ｆ２０５は、画像処理部２０４から入力された映像信号をネットワーク回線を介して、遠隔地等の異なる地点に設置された他のプロジェクタ装置に送信する。
表示回路部２０７は、画像処理部２０４から入力された映像および映像復号部２０６から入力された映像を、選択若しくは合成して表示画像を作成し、表示パネル２０８に出力する。表示パネル２０８は、表示回路部２０７から入力された画像を表示する。
なお、スクリーンに投射される映像は、自プロジェクタ装置、ネットワーク回線等の通信回線で接続された他のプロジェクタ装置を問わず、さらに、カメラが撮像した映像を重畳したり、多画面表示するようにしても良いことは自明である。
【００１９】
また、伝送Ｉ／Ｆ２０５は、ネットワーク回線を介して、遠隔地等の異なる地点に設置された他のプロジェクタ装置から受信した映像信号を映像復号部２０６に出力する。
映像復号部２０６は、伝送Ｉ／Ｆ２０５から入力された映像信号を復号して、表示回路部２０７に出力する。
【００２０】
ＣＰＵ２１０は、重力センサ２１２からの姿勢検出情報（設置状態検出情報）を受け、プロジェクタ装置２００の設置状態を判定する。そして、現在、プロジェクタ装置２００の設置状態が、（１）据置き設置方式、（２）天吊り設置方式、（３）その他の設置方式のどれであるかを識別する。
なお、（３）その他の設置方式は、例えば、テーブルトップ設置方式である。この設置方式の場合には、会議参加者がテーブル全周にいる場合があり、投射映像の回転方向及びチルト機構の制御方向、並びに、カメラ映像の回転方向及びチルト機構の制御方向については、ケースバイケースである。しかし、あらかじめ設定した条件、例えば、（１）据置き設置方式と同様にする、または（２）天吊り設置方式と同様にする、等に設定しておいても良い。
【００２１】
例えば、（１）の据置き設置方式の場合には、図３に示すように、台３０１上に据置設置されたプロジェクタ装置２００の投射方向３０２は前面方向であり、壁３０３のスクリーン３０４上に投影されている。また、このとき、カメラの撮像方向３０５は、光軸が投射方向３０２と逆方向であり、会議参加者３０６〜３１１およびテーブル３２１、その他被写体を正常な上下方向で撮像している。ここで、正常な上下方向とは、図１における矢印で示す上下方向であり、例えば、カメラ２０３の撮像する映像では、図４が回転角０°、図６が回転角１８０°である。
図４は、表示回路部２０７から出力される映像３５０である。図４に示すように、映像３５０が、会議参加者３０６〜３１１およびテーブル３２１を、正常な上下方向で表示される。
【００２２】
また、例えば、（２）の天吊り設置方式の場合には、図５に示すように、天井５１１方向に支柱５０１を介して設置されたプロジェクタ装置２００の投射方向５０２は前面方向であり、壁３０３のスクリーン３０４上に投影されている。また、このとき、カメラの撮像方向５０５は、光軸が投射方向５０２と逆方向であり、会議参加者３０６〜３１１およびテーブル３２１、その他被写体を、上記図３とは、上下方向に１８０°回転して撮像しされる。
図６は、表示回路部２０７から出力される映像３５０である。図６に示すように、映像５５０は、会議参加者３０６〜３１１およびテーブル３２１を、図４とは、上下方向に１８０°回転して表示される。
【００２３】
図５で示した（２）の天吊り設置方式の場合には、重力センサ２１２が、プロジェクタ装置２００の設置状態が天吊り方式であることを検出した場合に、画像処理部２０４、表示回路部２０７等によって、出力映像を１８０°反転させるように制御することによって解決する。
しかし、ミラーやカメラの光軸を角度調整する場合には、調整方向が逆転する。
【００２４】
カメラ光軸の調整について、図９と図１０〜図１３を用いて説明する。図９は、本発明のプロジェクタ装置に用いるリモコン（図２または後述の図１４参照）の操作パネル面の一部で、上下左右移動ボタン部９０１の一実施例を示す図である。９１１は上移動ボタン、９１２は下移動ボタン、９１３は左移動ボタン、９１４は右い移動ボタン、９１５は決定ボタンである。それらのボタンは、操作者が押すことによって動作し、リモコンから出力されたそれぞれの制御信号で変調された赤外線光を、受光部１０４が受信することによって、プロジェクタ装置（本体）２００が制御される（図２または後述の図１４参照）。
なお、ミラーによる投影画像の０°若しくは１８０°の回転制御も同様である。
【００２５】
図１０は、本発明のプロジェクタ装置の設置状態が据置き方式の場合の一実施例を説明するための図である。また図１１は、図１０のプロジェクタ装置のカメラが撮像した映像の出力事例を示す図である。図１１（ａ）は、所定の光軸（光軸方向３０５）でカメラが撮像した映像の出力事例で、図４と同じ映像である。図１１（ｂ）は、カメラ部１０３を回転して上方向（仰角）に調整し、視野方向を上げ、カメラの光軸１００５とした場合に、カメラが撮像した映像の出力事例を示す図である。カメラの視野範囲が、上向きになったため、会議参加者３０６と３０９及びテーブル３２１の下部が映らない映像となっている。なお、図１０に示すように、据置き設置方式のプロジェクタ装置の場合には、据置きする台３０１が全体的に、他の設備や会議参加者より下側に設けられて設置されるため、プロジェクタ装置２００の光軸３０２とカメラの光軸３０５は上向き（仰角方向）になる。また、スクリーン３０４と会議参加者の相対的位置から、光軸３０２と光軸３０５には、角度の調整が必要となる。
【００２６】
ここで、リモコン操作者が、カメラの視野方向を上に上げる等の角度（チルト角仰角）調整をするためには、図１０に示すように、プロジェクタ装置２００が据置き設置方式の場合には、リモコンを操作して上移動ボタン９１１を押すことによって、操作前の光軸３０５から光軸１００５に移動（チルト角を上向きに変更）したことにより、図１１（ａ）に示すように撮像された映像３０５（図４を再掲）が、図１１（ｂ）に示すように撮像され視野範囲が上に移動する。
【００２７】
しかし、図１２に示すように、プロジェクタ装置２００が天吊り設置方式の場合には、リモコンを操作して上移動ボタン９１１を押すことによって、カメラの光軸が、操作前のカメラの光軸５０５から光軸１２０５に移動する。
図１２は、本発明のプロジェクタ装置の設置状態が天吊り方式の場合の一実施例を説明するための図である。また図１３は、図１２のプロジェクタ装置のカメラが撮像した映像の出力事例を示す図である。図１３（ａ）は、光軸方向１２０５でカメラが撮像した映像の出力事例で、図１３（ｂ）は、光軸方向１２１５でカメラが撮像した映像の出力事例である。
【００２８】
図１３（ａ）は、カメラ部１０３を回転して上方向に調整し、視野方向を上げ、カメラの光軸１００５とした場合に、カメラが撮像した映像の出力事例を示す図である。また、図１３（ａ）は、操作者が、据置き設置方式と同様に、出力映像を見て、上向きにカメラの映像を変更しようとして誤操作した場合の映像出力事例でもある。カメラの視野範囲が、下向きになったため、会議参加者３０８と３１１及びテーブル３２１の上部が映らない映像となっている。
【００２９】
この結果、図１３（ａ）に示すように、カメラが撮像された映像１２５５が、図１３（ａ）に示すように撮像され視野範囲が下に移動してしまい、操作者の意図した操作と逆になる。
即ち、天吊り設置方式の場合には、カメラの光軸を上方向に移動させるためには、据置き設置方式と逆に、リモコンの下移動ボタン９１２を押す必要がある。このため、操作者は、設置状態に応じてリモコン操作をする必要があり、操作上混乱する。また、操作ミスが増え、会議等の進行に支障がでる虞がある。なお、図１３に示すように、天吊り設置方式のプロジェクタ装置の場合には、天井側に、即ち、他の設備や会議参加者より上側に設けられるため、プロジェクタ装置２００の光軸５０２とカメラの光軸５０５は下向き（俯角方向）になる。また、スクリーン３０４と会議参加者の相対的位置から、光軸３０２と光軸３０５には、カメラのチルト角度の調整が必要となる。
【００３０】
そこで、本発明では、さらに、重力センサ２１２が、ＣＰＵ２１０は、プロジェクタ装置２００が天吊りの設置状態であることを検出した場合には、カメラを移動するためのチルト機構の制御方法を上下逆に切替える。即ち、リモコンからカメラの光軸を上に移動する操作が入力された場合には、カメラの光軸５０５が、光軸１２１５に回転するようにチルトモータを制御しチルト角を変更する。
図１３（ｂ）は、カメラ部１０３を回転して上方向にチルト角を調整し、視野方向を上げ、カメラの光軸１００５とした場合に、カメラが撮像した映像の出力事例を示す図である。カメラの視野範囲が、上向きになったため、会議参加者３０６と３０９及びテーブル３２１の下部が映らない映像となっている。
即ち、据置き設置方式の場合と同様にリモコンを操作して上移動ボタン９１１を押すことによって、カメラの光軸が、操作前のカメラの光軸５０５から光軸１２１５に移動する。この結果、図１３（ｂ）に示すように、撮像され視野範囲を上に移動することができる。
【００３１】
また図２と同様に、図１４の構成では図示していないが、レンズ部２０１がズーム機能を備え、手動若しくはＣＰＵ２１０の制御を受けてズーム倍率を変更することも可能である。
なお、ミラーによる投影画像の０°若しくは１８０°の回転制御も同様である。好ましくは、ミラーの投影画像とカメラの撮像画像の出力映像の０°若しくは１８０°の回転制御を連動して制御する。
また、重力センサによらず、投影画像の反転操作に同期して、カメラの撮像映像を０°若しくは１８０°に切替えるようにし、チルト角の変更方向（上下方向の角度調整）を据置き設置方式や天吊り設置方式によらず、同じ操作で行えるようにしても良い。
【００３２】
次に、本発明の別の実施例について述べる。上記図１〜図１４の実施例では、プロジェクタ装置を使い、会議参加者を撮像し、投射映像に重畳若しくは多画面表示し、音声をマイクで取得し、スピーカで音声を出力するテレビ会議等であって、通信回線で複数の地点間を結ぶことが可能なプロジェクタ装置であった。しかし、応用例として、プロジェクタを使用していない場合、例えば、労働時間外、夜間等の設置場所において、カメラのみを起動させておき、監視カメラとして使用し、通信回線を介して、遠隔監視することも可能である。
また例えば、顧客の投射映像を遠隔地点からモニタリングし、修理信号を該当するプロジェクタ装置に配信し、リモート修理、若しくは修理の方法や手順を伝達することも可能である。
【００３３】
この結果、また、図１３（ｂ）に示すように、操作者が、据置き設置方式と同様に、出力映像を見て、上向きにカメラの映像を変更しようとしても、誤操作にならない。即ち、上記実施例によれば、プロジェクタ装置の設置状態によらず、同じ操作で、カメラの光軸を同じ方向に移動できる。このため、プロジェクタ装置の設置角度を設置後に変更する場合に、カメラの角度（光軸方向）の初期調整が容易となる。即ち、プロジェクタ装置の設置場所や設置条件が異なった場合においても、容易にかつ迅速にプロジェクタ装置の設置角度を変更することができる。
【００３４】
本発明は、本発明は、投射映像をミラーによってスクリーンに投影表示するプロジェクタ装置全般に適用可能である。
また、特に、プロジェクタ装置とスクリーン間が極めて距離の近い、超短投写光学系のプロジェクタ装置に適用することで、高い効果を得ることができる。
【符号の説明】
【００３５】
１００：プロジェクタ装置、  １０１：筐体、  １０２：ミラー部、  １０３：カメラ部、１０４：フード、  １０４’：へこみ部、  １０５：受光部、  １０６、１０７：接続用端子パネル、  １０８：後面、  １０９：カメラ本体、  １１０：マイク、  ２００：プロジェクタ装置、  ２０１：レンズ部、  ２０２：映像信号生成部、  ２０３：カメラ、  ２０４：画像処理部、  ２０５：伝送Ｉ／Ｆ部、  ２０６：映像信号復号部、  ２０７：表示回路部、  ２０８：表示パネル、  ２０９：赤外線受光部、  ２１０：ＣＰＵ、  ２１１：キーパッド、  ２１２：重力センサ、  ２１３：入力画像処理部、  ２１４、２１５：入出力端子。
【図１】
0005427114.tif 000002
【図２】
0005427114.tif 000003
【図３】
0005427114.tif 000004
【図４】
0005427114.tif 000005
【図５】
0005427114.tif 000006
【図６】
0005427114.tif 000007
【図７】
0005427114.tif 000008
【図８】
0005427114.tif 000009
【図９】
0005427114.tif 000010
【図１０】
0005427114.tif 000011
【図１１】
0005427114.tif 000012
【図１２】
0005427114.tif 000013
【図１３】
0005427114.tif 000014
【図１４】
0005427114.tif 000015